(57)【要約】【課題】コネクタ及び情報処理装置において、コネクタの逆挿しを可能にすること。【解決手段】コネクタ挿入方向D1の垂直方向D2に沿って第１のピッチP1で配列された複数の第１のコンタクト６を第１の面５ａとその反対側の第２の面５ｂの各々に備えた第１のコネクタ部２と、第１のコンタクト６の各々に接触し、かつ第２のピッチP2で配列された複数の第２のコンタクト１３を備えた第２のコネクタ部３とを有し、第１のコンタクト６の各々と第２のコンタクト１３の各々のいずれか一方を垂直方向D2に沿ってずらし、かつ、第１のピッチP1と第２のピッチP2の一方を他方の倍にしたコネクタによる。【選択図】図６
2015219956.tif 000002
【特許請求の範囲】
【請求項１】
コネクタ挿入方向の垂直方向に沿って第１のピッチで配列された複数の第１のコンタクトを第１の面とその反対側の第２の面の各々に備えた第１のコネクタ部と、
前記第１のコンタクトの各々に接触し、かつ第２のピッチで配列された複数の第２のコンタクトを備えた第２のコネクタ部とを有し、
前記第１のコンタクトの各々と前記第２のコンタクトの各々のいずれか一方を前記垂直方向に沿ってずらし、かつ、前記第１のピッチと前記第２のピッチの一方を他方の倍にしたことを特徴とするコネクタ。
【請求項２】
前記第１のコネクタ部は、前記第１の面と前記第２の面とを繋ぐ相対する第１の側面と第２の側面とを有し、
前記第１のピッチは前記第２のピッチの倍であり、
前記第１の側面から最寄りの第１のコンタクトまでの距離と、前記第２の側面から最寄りの第１のコンタクトまでの距離との差が、前記第２のピッチに等しいことを特徴とする請求項１に記載のコネクタ。
【請求項３】
前記第１のコネクタ部は、前記第１の面と前記第２の面とを繋ぐ相対する第１の側面と第２の側面とを有し、
前記第２のピッチは前記第１のピッチの倍であり、
前記第１の側面から最寄りの第２のコンタクトまでの距離と、前記第２の側面から最寄りの第２のコンタクトまでの距離との差が、前記第１のピッチに等しいことを特徴とする請求項１に記載のコネクタ。
【請求項４】
前記第１のコネクタ部に接する前記第２のコネクタ部の先端部を千鳥状に配したことを特徴とする請求項１乃至請求項３のいずれか１項に記載のコネクタ。
【請求項５】
コネクタ挿入方向の垂直方向に沿って第１のピッチで配列された複数の第１のコンタクトを第１の面とその反対側の第２の面の各々に備えた第１のコネクタ部と、
前記第１のコンタクトの各々に接触し、かつ第２のピッチで配列された複数の第２のコンタクトを備えた第２のコネクタ部のいずれか一方を有し、
前記第１のコンタクトの各々と前記第２のコンタクトの各々のいずれか一方を前記垂直方向に沿ってずらし、かつ、前記第１のピッチと前記第２のピッチの一方を他方の倍にしたことを特徴とする情報処理装置。
【発明の詳細な説明】
【技術分野】
【０００１】
本発明は、コネクタ及び情報処理装置に関する。
【背景技術】
【０００２】
スマートフォンやタブレット型端末等の情報処理装置には、マイクロUSB(Universal Serial Bus)規格やIEEE1394規格に準拠した様々なコネクタが使用される。
【０００３】
これらのコネクタは、プラグとそれを受容するレセプタクルから形成される。プラグとレセプタクルにはそれぞれコンタクトが設けられており、レセプタクルにプラグを差し込むことで両者のコンタクトが接触し、プラグとレセプタクルとが電気的に接続される。
【０００４】
コネクタの種類にもよるが、異なる信号が割り当てられたコンタクト同士が接続されるのを防止するために、プラグとレセプタクルには互いに接続可能な向きが決められている。そして、その向き以外を向いたプラグをレセプタクルに差し込もうとしてもレセプタクルがこれを受け付けない。レセプタクルが受け付けない向きにプラグを挿すことを逆挿しと呼ぶことがある。
【０００５】
例えば、マイクロUSBコネクタでは、プラグの外形を非対称な形状とすることで、レセプタクルが受容し得るプラグの向きに制限を課し、逆挿しを防止している。
【０００６】
ただし、これではユーザが事前にプラグの向きを目視で確認する必要があり、煩わしさに絶えない。
【０００７】
これを解決するために、逆挿しされたことを認識する専用の回路をレセプタクルに設けることも考えられる。このように逆挿しが可能なコネクタはリバーシブルであるといわれる。
【０００８】
しかし、リバーシブルにするためにこのように専用の回路を設けたのではコネクタが高価となり、コネクタの低コスト化を実現するのが難しくなる。
【先行技術文献】
【特許文献】
【０００９】
【特許文献１】特開２００５−２７６７１０号公報
【特許文献２】特開平２−３０４８８２号公報
【特許文献３】特開平１−１０２８７８号公報
【発明の概要】
【発明が解決しようとする課題】
【００１０】
コネクタ及び情報処理装置において、コネクタの逆挿しを可能にすることを目的とする。
【課題を解決するための手段】
【００１１】
以下の開示の一観点によれば、コネクタ挿入方向の垂直方向に沿って第１のピッチで配列された複数の第１のコンタクトを第１の面とその反対側の第２の面の各々に備えた第１のコネクタ部と、前記第１のコンタクトの各々に接触し、かつ第２のピッチで配列された複数の第２のコンタクトを備えた第２のコネクタ部とを有し、前記第１のコンタクトの各々と前記第２のコンタクトの各々のいずれか一方を前記垂直方向に沿ってずらし、かつ、前記第１のピッチと前記第２のピッチの一方を他方の倍にしたコネクタが提供される。
【００１２】
また、その開示の他の観点によれば、コネクタ挿入方向の垂直方向に沿って第１のピッチで配列された複数の第１のコンタクトを第１の面とその反対側の第２の面の各々に備えた第１のコネクタ部と、前記第１のコンタクトの各々に接触し、かつ第２のピッチで配列された複数の第２のコンタクトを備えた第２のコネクタ部のいずれか一方を有し、前記第１のコンタクトの各々と前記第２のコンタクトの各々のいずれか一方を前記垂直方向に沿ってずらし、かつ、前記第１のピッチと前記第２のピッチの一方を他方の倍にした情報処理装置が提供される。
【発明の効果】
【００１３】
以下の開示によれば、第１のコンタクトの各々と第２のコンタクトの各々のいずれか一方をコネクタ挿入方向の垂直方向に沿ってずらし、かつ、第１のコンタクトの第１のピッチと第２のコンタクトの第２のピッチの一方を他方の倍にする。
【００１４】
これにより、第１のコネクタ部の第１の面と第２の面とを逆にしても、第１のコンタクトと第２のコンタクト同士が接触するようになるので、第１のコネクタ部に第２のコネクタ部を逆挿しすることが可能となる。
【図面の簡単な説明】
【００１５】
【図１】図１は、第１実施形態に係る情報処理装置の模式平面図である。
【図２】図２は、第１実施形態に係る第１のコネクタ部と第２のコネクタ部の斜視図である。
【図３】図３は、第１実施形態に係る第２のコネクタ部の斜視図である。
【図４】図４は、第１実施形態に係る第１のコネクタ部と第２のコネクタ部とを接続した状態において、絶縁体の第１の面から見た場合の各コンタクトの配列を示す模式平面図である。
【図５】図５は、第１実施形態に係る第１のコネクタ部と第２のコネクタ部とを接続した状態において、絶縁体の第２の面から見た場合の各コンタクトの配列を示す模式平面図である。
【図６】図６は、第１実施形態においてコネクタ挿入方向から見た絶縁体とその周囲の正面図である。
【図７】図７は、第１実施形態において各コンタクトへの信号の割り当て方を模式的に示す正面図である。
【図８】図８は、第１実施形態において、絶縁体の各面を図７とは逆にした状態で第１のコネクタ部と第２のコネクタ部とを接続した場合の模式正面図である。
【図９】図９は、第２実施形態に係る第１のコネクタ部とその周囲の模式正面図である。
【図１０】図１０は、第２実施形態において、第１のコネクタ部の各面を図９とは逆にした場合の模式正面図である。
【発明を実施するための最良の形態】
【００１６】
以下に、本実施形態について添付図面を参照しながら詳細に説明する。
【００１７】
（第１実施形態）
図１は、第１実施形態に係る情報処理装置２０の模式平面図である。
【００１８】
この情報処理装置２０は、例えばスマートフォン、タブレット型端末、及びパーソナルコンピュータ等であって、第１のコネクタ部２を有する。
【００１９】
第１のコネクタ部２は、充電器やパーソナルコンピュータ等の外部機器に情報処理装置２０を接続するのに使用され、当該外部機器が備えるケーブル１１を終端する第２のコネクタ部３に接続される。
【００２０】
なお、情報処理装置２０には第１のコネクタ部２と第２のコネクタ部３のいずれか一方を実装すればよく、第２のコネクタ部３を情報処理装置２０に実装して、第１のコネクタ部２でケーブル１１を終端してもよい。
【００２１】
図２は、本実施形態に係る第１のコネクタ部２と第２のコネクタ部３の斜視図である。
【００２２】
第１のコネクタ部２と第２のコネクタ部３は、互いに接続されることを前提としたコネクタ１として使用される。以下では、第２のコネクタ部３を第１のコネクタ部２に挿入する方向をコネクタ挿入方向D1と呼ぶ。
【００２３】
第１のコネクタ部２は、レセプタクルであって、ハウジング４と平板状の絶縁体５とを有する。
【００２４】
ハウジング４には、概略矩形の開口４ｘが形成されており、その開口４ｘから絶縁体５が露出する。
【００２５】
絶縁体５は樹脂を成型してなり、第１の面５ａとその反対側の第２の面５ｂとを有する。そして、これらの面５ａ、５ｂには、コネクタ挿入方向D1の垂直方向D2に沿って間隔をおいて導電性の第１のコンタクト６が配列される。
【００２６】
なお、図２では各面５ａ、５ｂから第１のコンタクト６が突出しているが、絶縁体５に第１のコンタクト６を埋め込むことにより、各面５ａ、５ｂと同一面に第１のコンタクト６の上面を位置させてもよい。
【００２７】
更に、第１のコンタクト６の材料は導電性材料であれば特に限定されないが、この例では黄銅で第１のコンタクト６を形成する。
【００２８】
また、ハウジング４の外周側面には舌片４ａが設けられている。そして、接着剤やネジによりその舌片４ａを情報処理装置２０の回路基板１０に固定することで、情報処理装置２０に第１のコネクタ部２が実装される。
【００２９】
一方、第２のコネクタ部３は、ケーブル１１の終端に設けられたプラグであり、ハウジング８とそれに固定された金属製のシールド９とを有する。
【００３０】
シールド９は、第１のコネクタ部２の開口４ｘに嵌る直方体状である。そして、開口４ｘにシールド９を挿入することで、第１のコネクタ部２と第２のコネクタ部３とが接続される。
【００３１】
図３は、第２のコネクタ部３の斜視図である。
【００３２】
前述のシールド９には概略矩形状の開口９ａが設けられており、その開口９ａ内に複数の導電性の第２のコンタクト１３が設けられる。これらの第２のコンタクト１３は、第１のコネクタ部２の絶縁体５をその上下から挟持できるように上下二段に分かれて設けられており、各段においてコネクタ挿入方向D1の垂直方向D2に沿って間隔をおいて第２のコンタクト１３が配列される。
【００３３】
また、第２のコンタクト１３が前述の第１のコンタクト６（図２参照）と確実に接触できるようにするために、第２のコンタクト１３の材料としてはバネ性のある材料を使用するのが好ましい。そのような材料としては、例えばリン青銅がある。
【００３４】
更に、第１のコネクタ２の開口４ｘ（図２参照）にシールド９が嵌ることにより各コネクタ部２、３同士が固定されるため、各コンタクト６、１３の相対位置が垂直方向D2にずれるのが抑制され、対応するコンタクト６、１３同士が接触するようになる。
【００３５】
図４は、第１のコネクタ部２と第２のコネクタ部３とを接続した状態において、絶縁体５の第１の面５ａから見た場合の各コンタクト６、１３の配列を示す模式平面図である。
【００３６】
図４に示すように、第２のコンタクト１３の長さは垂直方向D2に沿って交互に入れ替わり、第２のコンタクト１３の各々の先端部１３ａが千鳥状に配列されている。これにより、隣接する第２のコンタクト１３の先端部１３ａ同士の距離Wを広くすることができるので、第２のコンタクト１３を密に配しても先端部１３ａ同士が接触するおそれが少なくなる。
【００３７】
一方、図５は、第１のコネクタ部２と第２のコネクタ部３とを接続した状態において、絶縁体５の第２の面５ｂから見た場合の各コンタクト６、１３の配列を示す模式平面図である。
【００３８】
図５に示すように、第２のコンタクト１３の配列は第１の面５ａ側と同様であり、複数の第２のコンタクト１３の先端部１３ａは千鳥状に配列される。
【００３９】
また、第２の面５ｂにおいては、第１のコンタクト６は先端部６ａとそれよりも細い線状部６ｂとを備えており、その先端部６ａが第２のコンタクト１３の先端部１３ａに接触する。
【００４０】
図６は、コネクタ挿入方向D1から見た絶縁体５とその周囲の正面図である。
【００４１】
図６に示すように、絶縁体５は、相対する第１の側面５ｘと第２の側面５ｙとを有し、これらの側面５ｘ、５ｙにより前述の各面５ａ、５ｂが繋がれる。
【００４２】
また、第１の面５ａと第２の面５ｂの各々において複数の第１のコンタクト６は等間隔に配列されており、かつ、絶縁体５を介して上下の第１のコンタクト６同士が正対する。
【００４３】
以下では、垂直方向D2に隣接する二つの第１のコンタクト６の中心間距離を第１のピッチP1と呼ぶ。第１のピッチP1の値は特に限定されないが、この例では例えば０．６mm程度とする。
【００４４】
更に、本実施形態では、各面５ａ、５ｂの全ての第１のコンタクト６の位置を垂直方向D2に沿って同じ量だけずらす。この結果、第１の側面５ｘから最寄りの第１のコンタクト６までの距離Aと、第２の側面５ｙから最寄りの第１のコンタクト６までの距離Bとが異なるようになる。
【００４５】
この例では、A<Bとすることで、第１の側面５ｘ寄りに全ての第１のコンタクト６をずらす。
【００４６】
一方、二段に分かれて配列された第２のコンタクト１３のうち、上段の第２のコンタクト１３は第１の面５ａに対向する位置に設けられ、下段の第２のコンタクト１３は第２の面５ｂに対向する位置に設けられる。
【００４７】
上段と下段の各々において複数の第２のコンタクト１３は等間隔に配列されており、かつ、絶縁体５を介して上下の第２のコンタクト１３同士は正対する。
【００４８】
以下では、垂直方向D2に隣接する二つの第２のコンタクト１３の中心間距離を第２のピッチP2と呼ぶ。第２のピッチP2は第１のピッチP1の半分であり（P1=2P2）、この例では０．３mm程度である。
【００４９】
このように第１のピッチP1を第２のピッチP2の倍にすることで、第２のコンタクト１３の全てが第１のコンタクト６と接触することがなくなり、第２のコンタクト１３は一つおきに第１のコンタクト６と接触するようになる。
【００５０】
図７は、各コンタクト６、１３への信号の割り当て方を模式的に示す正面図である。
【００５１】
この例では、各コンタクト６、１３に割り当てられる信号をアルファベットの符号で識別する。
【００５２】
例えば、第１の面５ａにある第１のコンタクト６については、第１の側面５ｘ側から順にａ、ｂ、ｃ、ｄ、ｅと信号を割り当てる。そして、第２の面５ｂにある第１のコンタクト６については、第２の側面５ｙ側から順にｆ、ｇ、ｈ、ｉ、ｊと信号を割り当てる。
【００５３】
また、第２のコンタクト１３については、それが接触している第１のコンタクト６と同じ信号を割り当てる。
【００５４】
なお、前述のように複数の第２のコンタクト１３の中には第１のコンタクト６と接触していないものもある。これらについては、第１の面５ａに対向する第２のコンタクト１３のうち第１の側面５ｘ側から数えてn番目（nは自然数）のものと、第２の面５ｂに対向する第２のコンタクト１３のうち第２の側面５ｙ側から数えてn番目のものとに同一の信号を割り当てる。
【００５５】
例えば、図７の例では、各面５ａ、５ｂにおいてn=2に相当する第２のコンタクト１３には信号「ｆ」を割り当てる。また、各面５ａ、５ｂにおいてn=4に相当する第２のコンタクト１３には信号「ｇ」を割り当てる。
【００５６】
このようなコネクタ１によれば、以下のように逆挿しが可能となる。
【００５７】
図８は、第１のコネクタ部２の絶縁体５の各面５ａ、５ｂを図７とは逆にして、第１のコネクタ部２と第２のコネクタ部３とを接続した場合の模式正面図である。なお、図８において図７で説明したのと同じ要素には図７におけるのと同じ符号を付し、以下ではその説明を省略する。
【００５８】
この例では前述のように各距離A、Bを異なる値にしたため、上記のように第２のコネクタ部３の各面５ａ、５ｂを逆にすると、逆にしない場合（図７参照）と比べて第１のコンタクト６の位置が垂直方向D2に距離Δだけずれる。
【００５９】
更に、第１のピッチP1を第２のピッチP2の倍（P1=2P2）にしたため、図７では第１のコンタクト６と未接触だった第２のコンタクト１３が第１のコンタクト６に接触するようになる。
【００６０】
これにより、第１のコネクタ部２の表裏を逆にした場合であっても同一の信号が割り当てられている各コンタクト６、１３同士を接触させることができ、第１のコネクタ部２に第２のコネクタ部３を逆挿しすることが可能となる。
【００６１】
なお、前述したずれの距離Δは各距離A、Bの差（B−A）に等しい。よって、差（B−A）を第２のピッチP2に等しくする（B−A=P2）ことで、第１のコンタクト６がずれる距離Δが第２のピッチP2に等しくなり、逆挿しによって第２のコンタクト１３の丁度一つ分だけ第１のコンタクト６をずらすことができる。
【００６２】
以上説明したように、本実施形態に係るコネクタ１によれば逆挿しが可能となるので、各コネクタ部２、３を接続する前にこれらの向きをユーザが確認する必要がなくなり、ユーザの便宜に資することができる。
【００６３】
しかも、逆挿しされたことを認識するための回路をコネクタ１に設ける必要もないので、コネクタ１の高コスト化を招くこともない。
【００６４】
（第２実施形態）
第１実施形態では、図６に示したように、絶縁体５の各側面５ｘ、５ｙのいずれか一方に第１のコンタクト６の各々をずらした。
【００６５】
これに対し、本実施形態では以下のように第２のコンタクト１３の位置をずらす。
【００６６】
図９は、本実施形態に係る第１のコネクタ部２とその周囲の模式正面図である。なお、図９において第１実施形態で説明したのと同じ要素には第１実施形態におけるのと同じ符号を付し、以下ではその説明を省略する。これについては後述の図１０でも同様である。
【００６７】
図９に示すように、本実施形態では、全ての第２のコンタクト１３の位置を垂直方向D2に沿って同じ量だけずらす。この結果、絶縁体５の第１の側面５ｘから最寄りの第２のコンタクト１３までの距離Cと、第２の側面５ｙから最寄りの第２のコンタクト１３までの距離Dとが異なるようになる。
【００６８】
この例では、D<Cとすることで、第２の側面５ｙ寄りに全ての第２のコンタクト１３をずらす。
【００６９】
一方、第１のコンタクト６については、第１実施形態で説明した各距離A、Bを同一の値にすることで、絶縁体５に対する第１のコンタクト６のずれをなくす。
【００７０】
なお、第１実施形態では第１のピッチP1を第２のピッチP2の倍にしたが、本実施形態では第２のピッチP2を第１のピッチP1の倍（P2=2P1）にする。これにより、第１のコンタクト６の全てが第２のコンタクト１３と接触することがなくなり、第１のコンタクト６は一つおきに第２のコンタクト１３と接触するようになる。
【００７１】
また、第１実施形態と同様に、各コンタクト６、１３に割り当てられる信号をアルファベットの符号で識別する。
【００７２】
例えば、第１の面５ａ側にある第２のコンタクト１３については、第１の側面５ｘ側から順にａ、ｂ、ｃと信号を割り当てる。そして、第２の面５ｂにある第２のコンタクト１３については、第２の側面５ｙ側から順にｄ、ｅ、ｆと信号を割り当てる。
【００７３】
また、第１のコンタクト６については、それが接触している第２のコンタクト１３と同じ信号を割り当てる。
【００７４】
なお、前述のように複数の第１のコンタクト６の中には第２のコンタクト１３と接触していないものもある。これらについては、第１の面５ａにある第１のコンタクト６のうち第１の側面５ｘ側から数えてn番目（nは自然数）のものと、第２の面５ｂにある第１のコンタクト６のうち第２の側面５ｙ側から数えてn番目のものとに同一の信号を割り当てる。
【００７５】
例えば、図９の例では、各面５ａ、５ｂにおいてn=1に相当する第１のコンタクト６には信号「ｄ」を割り当てる。また、各面５ａ、５ｂにおいてn=3に相当する第１のコンタクト６には信号「ｅ」を割り当てる。
【００７６】
本実施形態でも以下のように逆挿しが可能となる。
【００７７】
図１０は、第１のコネクタ部２の各面５ａ、５ｂを図９とは逆にした場合の模式正面図である。
【００７８】
この例では前述のように各距離C、Dを異なる値にし、かつP2=2P1としたため、このように第１のコネクタ部２の表裏を逆にすると、図９では第２のコンタクト１３と未接触だった第１のコンタクト６が第２のコンタクト１３と接触するようになる。
【００７９】
これにより、第１のコネクタ部２の表裏を逆にした場合であっても同一の信号が割り当てられている各コンタクト６、１３同士を接触させることができ、第１のコネクタ部２に第２のコネクタ部３を逆挿しすることが可能となる。
【００８０】
なお、前述した各距離C、Dを任意としたのでは、逆挿ししたときに互いに接触すべき第１のコンタクト６と第２のコンタクト１３とが位置ずれするおそれがある。よって、これらの距離C、Dの差（C−D）を第１のピッチP1に等しくする（C−D=P1）ことで、逆挿ししたときの各コンタクト６、１３同士の位置ずれを防止するのが好ましい。
【００８１】
以上説明した各実施形態に関し、更に以下の付記を開示する。
【００８２】
（付記１）  コネクタ挿入方向の垂直方向に沿って第１のピッチで配列された複数の第１のコンタクトを第１の面とその反対側の第２の面の各々に備えた第１のコネクタ部と、
前記第１のコンタクトの各々に接触し、かつ第２のピッチで配列された複数の第２のコンタクトを備えた第２のコネクタ部とを有し、
前記第１のコンタクトの各々と前記第２のコンタクトの各々のいずれか一方を前記垂直方向に沿ってずらし、かつ、前記第１のピッチと前記第２のピッチの一方を他方の倍にしたことを特徴とするコネクタ。
【００８３】
（付記２）  前記第１のコネクタ部は、前記第１の面と前記第２の面とを繋ぐ相対する第１の側面と第２の側面とを有し、
前記第１のピッチは前記第２のピッチの倍であり、
前記第１の側面から最寄りの第１のコンタクトまでの距離と、前記第２の側面から最寄りの第１のコンタクトまでの距離との差が、前記第２のピッチに等しいことを特徴とする付記１に記載のコネクタ。
【００８４】
（付記３）  前記第１の面に対向する前記第２のコンタクトのうち前記第１の側面側から数えてn番目（nは自然数）の前記第２のコンタクトと、前記第２の面に対向する前記第２のコンタクトのうち前記第２の側面側から数えてn番目の前記第２のコンタクトとに、同一の信号が割り当てられることを特徴とする付記２に記載のコネクタ。
【００８５】
（付記４）  前記第１のコネクタ部は、前記第１の面と前記第２の面とを繋ぐ相対する第１の側面と第２の側面とを有し、
前記第２のピッチは前記第１のピッチの倍であり、
前記第１の側面から最寄りの第２のコンタクトまでの距離と、前記第２の側面から最寄りの第２のコンタクトまでの距離との差が、前記第１のピッチに等しいことを特徴とする付記１に記載のコネクタ。
【００８６】
（付記５）  前記第１の面における第１のコンタクトのうち前記第１の側面側から数えてn番目（nは自然数）の前記第１のコンタクトと、前記第２の面における前記第１のコンタクトのうち前記第２の側面側から数えてn番目の前記第１のコンタクトとに、同一の信号が割り当てられることを特徴とする付記４に記載のコネクタ。
【００８７】
（付記６）  前記第１のコネクタ部に接する前記第２のコネクタ部の先端部を千鳥状に配したことを特徴とする付記１乃至付記５のいずれかに記載のコネクタ。
【００８８】
（付記７）  コネクタ挿入方向の垂直方向に沿って第１のピッチで配列された複数の第１のコンタクトを第１の面とその反対側の第２の面の各々に備えた第１のコネクタ部と、
前記第１のコンタクトの各々に接触し、かつ第２のピッチで配列された複数の第２のコンタクトを備えた第２のコネクタ部のいずれか一方を有し、
前記第１のコンタクトの各々と前記第２のコンタクトの各々のいずれか一方を前記垂直方向に沿ってずらし、かつ、前記第１のピッチと前記第２のピッチの一方を他方の倍にしたことを特徴とする情報処理装置。
【符号の説明】
【００８９】
１…コネクタ、２…第１のコネクタ部、３…第２のコネクタ部、４…ハウジング、４ａ…舌片、５…絶縁体、５ａ…第１の面、５ｂ…第２の面、５ｘ…第１の側面、５ｙ…第２の側面、６…第１のコンタクト、６ａ…先端部、６ｂ…線状部、８…ハウジング、９…シールド、１０…回路基板、１１…ケーブル、１３…２のコンタクト、１３ａ…先端部。
【図１】
2015219956.tif 000003
【図２】
2015219956.tif 000004
【図３】
2015219956.tif 000005
【図４】
2015219956.tif 000006
【図５】
2015219956.tif 000007
【図６】
2015219956.tif 000008
【図７】
2015219956.tif 000009
【図８】
2015219956.tif 000010
【図９】
2015219956.tif 000011
【図１０】
2015219956.tif 000012